【手続補正書】
【提出日】平成18年1月24日(2006.1.24)
【手続補正１】
【補正対象書類名】明細書
【補正対象項目名】発明の名称
【補正方法】変更
【補正の内容】
【発明の名称】画像表示装置、画像表示方法及び記録媒体
【手続補正２】
【補正対象書類名】明細書
【補正対象項目名】特許請求の範囲
【補正方法】変更
【補正の内容】
【特許請求の範囲】
【請求項１】  記録媒体に記録された画像データを再生し表示する画像表示装置において、
上記記録媒体からの画像データに対して所定の画像信号処理を施して画像信号を生成する画像信号処理手段と、
上記画像信号処理手段からの画像信号を表示する画像表示手段と、
上記画像表示手段に表示する画像信号の表示方向情報を上記記録媒体に記録すると共に、上記記録媒体から読み出した上記表示方向情報に応じて上記画像信号を上記画像表示手段に表示する制御手段と
を備えることを特徴とする画像表示装置。
【請求項２】  上記記録媒体は外部から装着されることを特徴とする請求項１記載の画像表示装置。
【請求項３】  人体の接近を認識する認識手段を備え、当該認識手段の検出出力に基づいて上記画像表示手段の表示状態を切り換えることを特徴とする請求項１記載の画像表示装置。
【請求項４】  上記画像表示手段の表示状態を切り換える時間を設定させるための時間設定部を備え、上記制御手段は当該時間設定部で設定された時間だけ上記画像表示手段の表示状態を継続することを特徴とする請求項３記載の画像表示装置。
【請求項５】  上記表示方向情報を上記記録媒体に記録するための操作釦、及び上記画像情報を探索するための操作釦を備えてなる操作部を装置本体内に収納することを特徴とする請求項１記載の画像表示装置。
【請求項６】  上記装置本体に対して上記操作部を回動又は摺動して収納することを特徴とする請求項５記載の画像表示装置。
【請求項７】  少なくとも記録媒体に記録された画像情報を表示する画像表示装置において、
上記記録媒体からの画像情報に基づいて表示画像信号を生成する画像信号生成手段と、
上記画像信号生成手段で生成した表示画像信号を表示する画像表示手段と、
本体設置状況に応じて上記画像表示手段における画像表示の方向を決定する表示方向決定手段と
を備えることを特徴とする画像表示装置。
【請求項８】  上記記録媒体は外部から装着されることを特徴とする請求項７記載の画像表示装置。
【請求項９】  外部装置との間で少なくとも画像データを用いたデータ通信を行う外部装置通信手段と、
上記外部装置通信手段を介してデータ通信される画像データを蓄積する画像メモリと、
上記記録媒体との間で少なくとも画像データを用いたデータ通信を行う記録媒体通信手段とを備え、
上記画像信号生成手段は上記画像メモリに記憶された画像データ、又は上記記録媒体通信手段を介した画像データに基づいて表示画像信号を生成することを特徴とする請求項７記載の画像表示装置。
【請求項１０】  周囲の光量を検出する光検出手段と、
上記光検出手段の検出出力に基づいて上記画像表示手段の動作を調整する調整手段とを設ける
ことを特徴とする請求項７記載の画像表示装置。
【請求項１１】  人或いは物の接近を認識する認識手段と、
上記認識手段の検出出力に基づいて電源供給を制御する電源供給制御手段とを設ける
ことを特徴とする請求項７記載の画像表示装置。
【請求項１２】  画像の複数種類の表示方法の何れかを選択する操作入力手段を設ける
ことを特徴とする請求項７記載の画像表示装置。
【請求項１３】  上記画像信号生成手段は、上記画像の複数種類の表示方法を示す複数のメニュー項目の画像を生成するメニュー画像生成手段を備え、
上記操作入力手段により、上記複数のメニュー項目の何れかを選択する
ことを特徴とする請求項１２記載の画像表示装置。
【請求項１４】  上記記録媒体通信手段は、複数の記録媒体間でデータ通信を行う
ことを特徴とする請求項９記載の画像表示装置。
【請求項１５】  上記外部装置通信手段は、赤外線によるデータ通信を行う赤外線通信手段を備える
ことを特徴とする請求項９記載の画像表示装置。
【請求項１６】  上記外部装置通信手段は、シリアルケーブルによるデータ通信を行うシリアルケーブル通信手段と、
上記赤外線通信手段と上記シリアルケーブル通信手段を選択的に切り替える通信切替手段とを設ける
ことを特徴とする請求項１５記載の画像表示装置。
【請求項１７】  上記通信切替手段は、上記シリアルケーブル通信手段に外部装置が接続された時点で、上記赤外線通信手段によるデータ通信から上記シリアルケーブル通信手段によるデータ通信に切り替える
ことを特徴とする請求項１６記載の画像表示装置。
【請求項１８】  上記画像メモリに記憶された画像データと上記記録媒体通信手段を介した画像データとを選択的に切り替えて、上記画像信号生成手段へ送る通信／媒体切替手段を設ける
ことを特徴とする請求項９記載の画像表示装置。
【請求項１９】  上記通信／媒体切替手段は、上記記録媒体通信手段に記録媒体が接続された時点で、上記画像信号生成手段へ送る画像データを、上記画像メモリに記憶された画像データから上記記録媒体通信手段を介した画像データに切り替える
ことを特徴とする請求項１８記載の画像表示装置。
【請求項２０】
記録媒体に記録された画像データを表示する画像表示装置において、
制御手段と、
前記画像表示装置に着脱可能な、前記画像データを記録する記録手段と、
前記画像データを表示する画像表示手段と、
前記画像データに関する表示方向情報を生成する手段とを備え、
前記制御手段は、前記画像データと当該画像データに関する前記表示方向情報とを前記記録手段に共に記録し、当該記録された前記画像データを当該表示方向情報に基づいて、前記画像表示手段に表示することを特徴とする画像表示装置。
【請求項２１】
前記画像表示装置に着脱可能な、前記画像データを記録する記録手段は、メモリカードであることを特徴とする請求項２０記載の画像表示装置。
【請求項２２】
さらに、前記画像表示装置本体の設置状況を検出する手段を備え、
前記制御手段は、前記画像表示装置本体の当該設置状況と前記表示方向情報とに基づき、前記画像データを前記画像表示手段に表示することを特徴とする請求項２０記載の画像表示装置。
【請求項２３】
記録媒体に記録された画像データを画像表示装置に表示する画像表示方法において、
前記画像データに関する表示方向情報を生成し、
前記画像データと当該画像データに関する前記表示方向情報とを共に前記記録媒体に記録するステップを含み、
前記画像データは、当該表示方向情報に基づいて、前記画像表示装置に表示されることを特徴とする画像表示方法。
【請求項２４】
さらに、前記画像表示装置の設置状況を検出するステップを含み、
前記画像データは、前記表示方向情報と前記画像表示装置の当該設置状況とに基づいて、前記画像表示装置に表示されることを特徴とする請求項２３記載の画像表示方法。
【請求項２５】
画像表示装置に表示される画像データが記録された、当該画像表示装置に着脱可能な記録媒体において、
前記画像表示装置に表示される際の前記画像データに関する表示方向情報と前記画像データとが共に記録されたことを特徴とする記録媒体。
【手続補正３】
【補正対象書類名】明細書
【補正対象項目名】０００１
【補正方法】変更
【補正の内容】
【０００１】
【発明の属する技術分野】
本発明は、例えばディジタルスチルカメラ等にて撮影されたディジタル画像を表示する画像表示装置、画像表示方法及び記録媒体に関する。
【手続補正４】
【補正対象書類名】明細書
【補正対象項目名】０００９
【補正方法】変更
【補正の内容】
【０００９】
【課題を解決するための手段】
本発明の画像表示装置は、上記課題を解決するために、記録媒体に記録された画像データを再生し表示する画像表示装置において、上記記録媒体からの画像データに所定の信号処理を施して画像信号を生成する画像信号処理手段と、上記画像信号処理手段からの画像信号を表示する画像表示手段と、上記画像表示手段に表示する画像信号の表示方向情報を上記記録媒体に記録すると共に、上記記録媒体から読み出した上記表示方向情報に応じた上記表示画像信号を上記画像表示手段に表示する制御手段とを備える。
また、本発明の画像表示装置は、上記課題を解決するために、外部記録媒体に記録された画像情報を表示する画像表示装置において、上記記録媒体からの画像情報に基づいて表示画像信号を生成する画像信号生成手段と、上記画像信号生成手段で生成した表示画像信号を表示する画像表示手段と、本体設置状況に応じて上記画像表示手段における画像表示の方向を決定する表示方向決定手段とを備える。
【手続補正５】
【補正対象書類名】明細書
【補正対象項目名】００１０
【補正方法】変更
【補正の内容】
【００１０】
本発明に係る画像表示装置は、上記課題を解決するために、記録媒体に記録された画像データを表示する画像表示装置において、制御手段と、前記画像表示装置に着脱可能な、前記画像データを記録する記録手段と、前記画像データを表示する画像表示手段と、前記画像データに関する表示方向情報を生成する手段とを備え、前記制御手段は、前記画像データと当該画像データに関する前記表示方向情報とを前記記録手段に共に記録し、当該記録された前記画像データを当該表示方向情報に基づいて、前記画像表示手段に表示する。
本発明に係る画像表示方法は、上記課題を解決するために、記録媒体に記録された画像データを画像表示装置に表示する画像表示方法において、前記画像データに関する表示方向情報を生成し、前記画像データと当該画像データに関する前記表示方向情報とを共に前記記録媒体に記録するステップを含み、前記画像データは、当該表示方向情報に基づいて、前記画像表示装置に表示される。
本発明に係る記録媒体は、上記課題を解決するために、画像表示装置に表示される画像データが記録された、当該画像表示装置に着脱可能な記録媒体において、前記画像表示装置に表示される際の前記画像データに関する表示方向情報と前記画像データとが共に記録される。
【手続補正６】
【補正対象書類名】明細書
【補正対象項目名】００１１
【補正方法】変更
【補正の内容】
【００１１】
【発明の実施の形態】
以下、本発明に係る画像表示装置、画像表示方法及び記録媒体の実施の形態について図面を参照しながら説明する。この実施の形態は外部記録媒体であるメモリカードに記録されている画像データを表示部に表示する、図１及び図２に外観を示す画像表示装置１である。図１は画像表示装置１の正面図であり、図２は背面側からの斜視図である。